(57)【要約】【課題】  ダウンロードした画像データをスタンプ画像として用いるようにすることができつつ、著作権の管理を確実にできる移動通信端末を提供する。【解決手段】  携帯電話機において画像データをダウンロードすると、当該画像データに対応させてその旨を示すダウンロード情報フラグを立てる。その画像データをスタンプ画像として用いて画像編集を行ない編集された画像を送信する際、携帯電話機においてにおいては、送信対象の画像の中にダウンロードされた画像データが含まれることが判定されて（Ｓ２０３でＹＥＳ）、その画像の送信が制限される（Ｓ２０７）。【選択図】        図４
2005142741.tif 000002
【特許請求の範囲】
【請求項１】
複数の画像データを用いて画像編集を行なう画像編集手段と、
前記編集された複数の画像データの中に、ダウンロードして取得された画像データが含まれるか否かを判定する判定手段と、
前記複数の画像データの中にダウンロードして取得された画像データが含まれる場合に、前記編集された画像の送信を制限する制限手段とを備える、移動通信端末。
【請求項２】
画像データをダウンロードして取得する取得手段と、
前記取得した画像データに、ダウンロードして取得した旨を示すダウンロード情報を付加して格納する格納手段とをさらに備え、
前記判定手段は、前記複数の画像データに前記ダウンロード情報が付加されているか否かを判定して、前記編集された複数の画像データの中にダウンロードして取得された画像データが含まれるか否かを判定する、請求項１に記載の移動通信端末。
【請求項３】
前記制限手段は、前記判定手段においてダウンロードして取得された画像データであると判定された画像データに対する前記画像編集を制限する、請求項１または２に記載の移動通信端末。
【請求項４】
画像データの管理をコンピュータに実行させるプログラムであって、
複数の画像データを用いて画像編集を行なう画像編集ステップと、
前記編集された複数の画像データの中に、ダウンロードして取得された画像データが含まれるか否かを判定する判定ステップと、
前記複数の画像データの中にダウンロードして取得された画像データが含まれる場合に、前記編集された画像の送信を制限する制限ステップとを実行させる、画像管理プログラム。
【請求項５】
画像データをダウンロードして取得する取得ステップと、
前記取得した画像データに、ダウンロードして取得した旨を示すダウンロード情報を付加して格納する格納ステップとをさらに実行させ、
前記判定ステップは、前記複数の画像データに前記ダウンロード情報が付加されているか否かを判定して、前記編集された複数の画像データの中にダウンロードして取得された画像データが含まれるか否かを判定する、請求項４に記載の画像管理プログラム。
【請求項６】
前記制限ステップは、前記判定ステップにおいてダウンロードして取得された画像データであると判定された画像データに対する前記画像編集を制限する、請求項４または５に記載の画像管理プログラム。
【発明の詳細な説明】
【技術分野】
【０００１】
移動通信端末および画像管理プログラムに関し、特に、著作権の管理を確実にできる移動通信端末および画像管理プログラムに関する。
【背景技術】
【０００２】
特許文献１に開示されているデジタルカメラのように、従来のカメラ機能が付加された携帯電話機には、撮影した画像に「画像スタンプ」や「文字スタンプ」を付加することができるようにした製品があった。このような製品において、「画像スタンプ」や「文字スタンプ」を付加して編集された画像は、メールで送信するなどの用いられ方をしている。
【特許文献１】特開２００２−１６８３３号公報
【発明の開示】
【発明が解決しようとする課題】
【０００３】
ところで、昨今では、携帯電話機を用いてインターネット等にアクセスすることが可能になっている。そのため、ダウンロードして他の装置から取得した画像データを「画像スタンプ」や「文字スタンプ」として用いる場合もあり得る。そこで、そのような場合であっても、画像データの著作権の管理を確実にできるような仕組みが不可欠となる。
【０００４】
本発明はこのような観点からなされたものであって、ダウンロードした画像データをスタンプ画像として用いるようにすることができつつ、著作権の管理を確実にできる移動通信端末および画像管理プログラムを提供することを目的とする。
【課題を解決するための手段】
【０００５】
上記目的を達成するために、本発明のある局面に従うと、移動通信端末は、複数の画像データを用いて画像編集を行なう画像編集手段と、編集された複数の画像データの中に、ダウンロードして取得された画像データが含まれるか否かを判定する判定手段と、複数の画像データの中にダウンロードして取得された画像データが含まれる場合に、編集された画像の送信を制限する制限手段とを備える。
【０００６】
また、移動通信端末は、画像データをダウンロードして取得する取得手段と、取得した画像データに、ダウンロードして取得した旨を示すダウンロード情報を付加して格納する格納手段とをさらに備え、判定手段は、複数の画像データにダウンロード情報が付加されているか否かを判定して、編集された複数の画像データの中にダウンロードして取得された画像データが含まれるか否かを判定することが好ましい。
【０００７】
また、制限手段は、判定手段においてダウンロードして取得された画像データであると判定された画像データに対する画像編集を制限することがより好ましい。
【０００８】
本発明の他の局面に従うと、画像管理プログラムは、画像データの管理をコンピュータに実行させるプログラムであって、複数の画像データを用いて画像編集を行なう画像編集ステップと、編集された複数の画像データの中に、ダウンロードして取得された画像データが含まれるか否かを判定する判定ステップと、複数の画像データの中にダウンロードして取得された画像データが含まれる場合に、編集された画像の送信を制限する制限ステップとを実行させる。
【０００９】
また、画像管理プログラムは、画像データをダウンロードして取得する取得ステップと、取得した画像データに、ダウンロードして取得した旨を示すダウンロード情報を付加して格納する格納ステップとをさらに実行させ、判定ステップは、複数の画像データにダウンロード情報が付加されているか否かを判定して、編集された複数の画像データの中にダウンロードして取得された画像データが含まれるか否かを判定することが好ましい。
【００１０】
また、制限ステップは、判定ステップにおいてダウンロードして取得された画像データであると判定された画像データに対する画像編集を制限することがより好ましい。
【発明を実施するための最良の形態】
【００１１】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１２】
図１は、本実施の形態にかかる携帯電話機１００の機能構成の具体例を示すブロック図である。
【００１３】
図１を参照して、本実施の形態にかかる携帯電話機１００は、ＬＣＤ（Liquid Crystal Display）等によりユーザに提示する情報を表示する表示部２２と、通話データやテキストデータなどの送受信を行なうための通信部２と、被写体を撮影して撮影画像を得るためのカメラ４と、ＲＡＭ（Random Access Memory）の所定領域で構成されて画像データを格納するための画像データメモリ６と、ＲＡＭの所定領域で構成されてダウンロード情報フラグを格納するためのフラグ用メモリ８と、ユーザがキー操作等により指示入力を行なうための指示入力部１８と、通話時にマイク２８ａから入力される音声信号とスピーカ２８ｂに出力される音声信号とを処理するための音声信号処理部２８と、携帯電話機１００の動作を制御するための制御部１０と、ＲＯＭ（Read Only Memory）の所定領域で構成されて制御部１０で実行されるプログラムを格納するためのプログラム用メモリ２０とを備える。
【００１４】
さらに、制御部１０は、画像データメモリ６から画像データを取得するための画像取得部１２と、画像取得部１２で取得された画像を編集するため画像編集部１４と、編集された画像を送信するための処理を行なう送信処理部１６とを含む。
【００１５】
なお、上述のＲＡＭの所定領域で構成される画像データメモリ６やフラグ用メモリ８としては、特にＲＡＭに限定されず、高速に読出し、書込みが可能なメモリであれば他の形態のメモリであってもよい。たとえば、ＳＲＡＭ（Static Random Access Memory）が用いられてもよい。
【００１６】
ユーザの選択に基づいて、通信部４を介してダウンロードされた画像データは制御部１０に渡され、画像データメモリ６に格納される。また、カメラ４から取得された撮影画像データもまた、画像データメモリ６に格納される。同時に、制御部１０は、各画像データに対してダウンロード情報フラグを用意してフラグ用メモリ８に格納する。
【００１７】
図２に、フラグ用メモリ８に格納されているダウンロード情報フラグの具体例を示す。図２を参照して、ダウンロード情報フラグは、画像データメモリ６に格納される画像ごとに用意され、当該画像データがダウンロードされて取得された画像データであるか否かを示す。図３に示される具体例においては、ダウンロード情報フラグに「１」が立てられている画像データがダウンロードされて取得された画像データであることを示している。
【００１８】
画像取得部２４は、指示入力部１２から入力されるユーザ指示にしたがって所定の画像データを画像データメモリ６から取得し、画像編集部１４に渡す。画像編集部１４は、画像取得部２４から渡された画像データに対して、指示入力部１２から入力されるユーザ指示にしたがって編集処理を行なう。そして、画像編集部１４は、編集した画像を送信処理部１６に渡す。
【００１９】
送信処理部１６は、指示入力部１２から入力されるユーザ指示にしたがって、画像編集部１４から渡された画像を通信部２を介して他の装置に送信するための処理を実行する。その際、送信処理部１６は、フラグ用メモリ８に格納されるダウンロード情報フラグを参照する。
【００２０】
なお、図１に示される携帯電話機１００の機能構成は一般的な携帯電話機の機能構成の１つの具体例であって、本発明はこの構成に限定されるものではない。たとえば、図１に示される機能構成の他に、フラッシュメモリなどの記録媒体から画像データの読出しおよび／または書込みを行なう機能を備えてもよく、その場合、制御部１０は、記録媒体から読出した画像データを通信部２を介してダウンロードして取得した画像データと同様に取扱い、送信処理部１６は、記録媒体に書込むための処理を行なう。
【００２１】
本実施の形態にかかる携帯電話機１００における画像取得処理について図３のフローチャートを用いて説明する。図３のフローチャートに示される処理は、制御部１０がプログラム用メモリ２０に格納されているプログラムを読出して図１に示される各部を制御して実行することで実現される処理である。
【００２２】
図３を参照して、始めに、携帯電話機１００において画像データが取得されると（Ｓ１０１）、制御部１０において、当該画像データがダウンロードされたものであるか否かが判定される（Ｓ１０３）。
【００２３】
そして、ステップＳ１０１で取得された画像データがダウンロードされたものである場合（Ｓ１０３でＹＥＳ）、該画像データに対応したダウンロード情報フラグに「１」を立ててフラグ用メモリ８に格納し（Ｓ１０５）、該画像データを画像データメモリ６に格納する（Ｓ１０７）。
【００２４】
一方、ステップＳ１０１で取得された画像データがカメラ４で取得した撮影画像であってダウンロードされたものでない場合（Ｓ１０３でＮＯ）、ステップＳ１０５の処理をスキップして、該画像データを画像データメモリ６に格納する（Ｓ１０７）。
【００２５】
本実施の形態にかかる携帯電話機１００において上述の画像取得処理が実行されることで、通信部２を介してダウンロードされた画像データやカメラ４で取得された撮影画像データが画像データメモリ６に格納されると共にフラグ用メモリ８に図２に示されるようなダウンロード情報フラグが用意される。
【００２６】
本実施の形態にかかる携帯電話機１００においては、画像データメモリ６に格納されている画像データを用いて画像編集を行なうことができる。詳しくは、カメラ４で取得した撮影画像などに対して、通信部２を介してダウンロードした画像などを入力する画像編集処理を行なう。このように入力する画像はスタンプ画像と呼ばれ、文字や画像などの画像データが該当する。スタンプ画像としては、カメラ４で取得した撮影画像が用いられてもよいし、通信部２を介してダウンロードした画像が用いられてもよい。なお、このような画像編集処理は、一般的な携帯電話機やコンピュータで行なわれている画像処理技術を用いて行なうことができ、ここでの詳細な説明は行なわない。
【００２７】
編集処理された画像は、画像データメモリ９にさらに登録されてもよいし、通信部２を介して他の装置に送信されてもよい。
【００２８】
そこで次に、本実施の形態にかかる携帯電話機１００における、編集された画像の送信処理について図４のフローチャートを用いて説明する。図４のフローチャートに示される処理もまた、制御部１０がプログラム用メモリ２０に格納されているプログラムを読出して図１に示される各部を制御して実行することで実現される処理である。
【００２９】
図４を参照して、始めに、指示入力部１８より画像送信の指示入力がなされると（Ｓ２０１）、送信処理部１６においてフラグ用メモリ８に格納されているダウンロード情報フラグが参照されて、送信対象の画像にダウンロードされた画像データが含まれているか否かが判定される（Ｓ２０３）。
【００３０】
その結果、送信対象の画像にダウンロードされた画像データが含まれていない場合には（Ｓ２０３でＮＯ）、送信処理部１６は、通信部２を介して該画像を他の装置に対して送信する送信処理を実行する（Ｓ２０５）。一方、送信対象の画像にダウンロードされた画像データが含まれている場合（Ｓ２０３でＹＥＳ）、該画像の送信は許可されず、送信不可を示す表示を表示部２２に表示し（Ｓ２０７）、画像送信処理を終了する。
【００３１】
本実施の形態にかかる携帯電話機１００において上述の画像送信処理が実行されることで、たとえユーザが携帯電話機１００を用いて撮影した画像であっても、ダウンロードしたスタンプ画像を用いて編集を行なった画像は送信を制限することができる。このようにすることで、ダウンロードして取得された画像の著作権の管理を確実にすることができる。
【００３２】
［変形例１］
このようなダウンロード情報フラグに基づいた制限を、画像編集処理に対して行なうこともできる。この場合の画像編集処理について、図５のフローチャートを用いて説明する。図５のフローチャートに示される処理もまた、制御部１０がプログラム用メモリ２０に格納されているプログラムを読出して図１に示される各部を制御して実行することで実現される処理である。
【００３３】
図５を参照して、始めに、指示入力部１８より画像編集の指示入力がなされると（Ｓ３０１）、画像編集部１４はフラグ用メモリ８に格納されているダウンロード情報フラグを参照して、編集対象の画像がダウンロードされた画像データであるか否かを判定する（Ｓ３０３）。
【００３４】
その結果、編集対象の画像がダウンロードされた画像でない場合には（Ｓ３０３でＮＯ）、該画像に対する編集処理が実行される（Ｓ３０５）。一方、編集対象の画像がダウンロードされた画像である場合（Ｓ３０３でＹＥＳ）、該画像の編集は許可されず、編集不可を示す表示を表示部２２に表示し（Ｓ３０７）、画像編集処理を終了する。
【００３５】
本実施の形態にかかる携帯電話機１００において上述の画像編集処理が実行されることで、ダウンロードした画像に対する編集処理を制限することができる。このようにすることで、提供者が提供した画像に対する意図しない編集を制限することができ、ダウンロードして取得された画像の著作権の管理を確実にすることができる。
【００３６】
［変形例２］
さらに、ダウンロード情報フラグに替えて、ダウンロードした画像データに、編集や送信を制限する著作権情報が付加されていることを示す著作権情報フラグを用いてもよい。すなわち、この場合、先に図３に示された画像取得処理のステップＳ１０３において、制御部１０は、ステップＳ１０１で取得した画像データに著作権情報が付加されているか否かを判定し、著作権情報が付加されている場合には同様に著作権情報フラグに「１」を立てる。そして、図４に示される画像送信処理においては、ステップＳ２０３で送信対象の画像に著作権情報が付加された画像データが含まれているか否かが判定されて、著作権情報が付加された画像データが含まれている場合には該画像の送信を行なわない。このようにすることでも、著作権情報の付加された画像の著作権の管理を確実にすることができる。
【００３７】
なお、上述の実施の形態においては、本発明にかかる移動通信端末を携帯電話機１００で実現するものとしたが、移動通信端末は携帯電話機に限定されず、ＰＤＡ（Personal Digital Assistants）などの通信機能を備える機器であってもよいし、ノート型のパーソナルコンピュータのような移動させることが可能な他のコンピュータ装置であってもよい。
【００３８】
さらに、上述の携帯電話機１００で実行される画像取得方法、画像送信方法、および画像編集方法を含む画像管理方法を、プログラムとして提供することもできる。このようなプログラムは、コンピュータに付属するフレキシブルディスク、ＣＤ−ＲＯＭ（Compact Disc-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００３９】
提供されるプログラム製品は、ハードディスクなどのプログラム格納部にインストールされて実行される。なお、プログラム製品は、プログラム自体と、プログラムが記録された記録媒体とを含む。
【００４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４１】
【図１】実施の形態にかかる携帯電話機１００の機能構成の具体例を示すブロック図である。
【図２】ダウンロード情報フラグの具体例を示す図である。
【図３】携帯電話機１００における画像取得処理を示すフローチャートである。
【図４】携帯電話機１００における画像送信処理を示すフローチャートである。
【図５】携帯電話機１００における画像編集処理を示すフローチャートである。
【符号の説明】
【００４２】
２  通信部、４  カメラ、６  画像データメモリ、８  フラグ用メモリ、１０  制御部、１２  画像取得部、１４  画像編集部、１６  送信処理部、１８  指示入力部、２０  プログラム用メモリ、２２  表示部、２８ａ  マイク、２８ｂ  スピーカ、２８  音声信号処理部、１００  携帯電話機。
【図１】
2005142741.tif 000003
【図２】
2005142741.tif 000004
【図３】
2005142741.tif 000005
【図４】
2005142741.tif 000006
【図５】
2005142741.tif 000007